(57)【要約】【目的】施錠の状態でドアを開口して通気、換気できるドアガードを提供する。【構成】ドア側にとりつけられるガード本体と、枠側にとりつけられる本体受部とからなるドアガードにおいて、上記ガード本体は、固定部と、該固定部にそれぞれ一端側が水平方向に回転可能に軸支される施錠アームおよびストッパを有しており、上記本体受部は基部の一端に取付部を、他端に膨出部を有しており、さらに上記施錠アームは長手方向空間部の軸支部側に上記膨出部の嵌入口を有しており、かつ該嵌入口に連通して長手方向に沿って基部の挿通口を上記膨出部より幅小にして有しており、該挿通口の先端に本体受部の基部が係合してドアが開口している施錠の状態では、上記ストッパを施錠アームに重なる位置まで回転して本体受部の外側に係合することにより、ドアの閉方向への移動を阻止し、ドアの開口状態を保持することを特徴とするドアガード。【選択図】　　図４
0003097840.tif 000002
【実用新案登録請求の範囲】
【請求項１】
ドア側にとりつけられるガード本体と、枠側にとりつけられる本体受部とからなるドアガードにおいて、上記ガード本体は、固定部と、該固定部にそれぞれ一端側が水平方向に回転可能に軸支される施錠アームおよびストッパを有しており、上記本体受部は基部の一端に取付部を、他端に膨出部を有しており、さらに上記施錠アームは長手方向空間部の軸支部側に上記膨出部の嵌入口を有しており、かつ該嵌入口に連通して長手方向に沿って基部の挿通口を上記膨出部より幅小にして有しており、該挿通口の先端に本体受部の基部が係合してドアが開口している施錠の状態では、上記ストッパを施錠アームに重なる位置まで回転して本体受部の外側に係合することにより、ドアの閉方向への移動を阻止し、ドアの開口状態を保持することを特徴とするドアガード。
【請求項２】
固定部にそれぞれ一端側が水平方向に回転可能に同軸で軸支される施錠アームおよびストッパを有していることを特徴とする請求項１記載のドアガード。
【請求項３】
ガード本体の固定部は上下に取付部を形成し、該取付部に略Ｕ字型の施錠アームおよびストッパの軸支部を同軸でそれぞれ水平方向に回転可能に軸支しており、さらにストッパはその先端に本体受部の膨出部の外側に係合する当て部を折曲形成していることを特徴とする請求項１又は請求項２記載のドアガード。
【考案の詳細な説明】
【０００１】
【考案の属する技術分野】
本考案は俗に言う用心鎖などと同じように施錠した状態でドアを少し開閉できるドアガードの改良に関する。
【０００２】
【従来の技術】
従来のドアガードは図７に示しているとおり、ドア側にとりつけられるガード本体１０と、枠側にとりつけられる本体受部１１とからなり、該ガード本体は固定部１０ａと、該固定部に一端側が水平方向に回転可能に軸支される略Ｕ字型の施錠アーム１０ｂとからなり、該アームは軸支部側に膨出部の嵌入口１０ｃを有しており、その嵌入口に連通して長手方向に沿って基部の挿通口１０ｄを有している。
一方本体受部１１は基部の一端に膨出部を他端に固定部を有している。
【０００３】
しかして通常解錠の状態では、施錠アームをドアと平行の位置つまりドアに重なる側に回転しておき、施錠するに際してはドアを閉め状態で施錠アームを本体受部の側に回転して膨出部１１ａの嵌入口が膨出部を越えて基部の位置に納まるまで回転する。
この状態でドアを開ければ、ガード本体も移動し、施錠アームの挿通口が基部にガイドされて外側に移動し、基部が挿通口の先端部に係合するまで開くことができる。
【０００４】
通常ドアの開口す間隙幅は５〜１０センチメートル程度である。開口できる構造にしているのは防犯上の施錠状態を保持しながら、外部との一時的な面会又は一時的な通気、換気等のためである。
解錠するにはドアを閉めた状態で施錠アームをドア側に回転すればよく、要は施錠の逆の動作をすればよい。
【０００５】
【考案が解決しようとする課題】
上記従来の構成では施錠アームを本体受部に係合した施錠の状態で、ドアをある間隙をもって開閉できるが、ドアの押動をやめればドアは外力、例えばドアクローザの引寄力、風圧等によって閉じることとなる。つまり開口状態を維持することができない。それゆえに防犯機能はあるが、開口維持による通気、換気機能に欠けると言う問題点があった。
言わば防犯機能と通気、換気機能を満たす商品が望まれており、ことに湿気のある時期、真夏の高温の時期などにおいてマンションのドアへの採用が要望されていた。本考案は上記要望に添う商品を提供することにある。
【０００６】
【課題を解決するための手段】
本考案はつぎの特徴を備えている。
その一つは「ドア側にとりつけられるガード本体と、枠側にとりつけられる本体受部とからなるドアガードにおいて、上記ガード本体は、固定部と、該固定部にそれぞれ一端側が水平方向に回転可能に軸支される施錠アームおよびストッパを有しており、上記本体受部は基部の一端に取付部を、他端に膨出部を有しており、さらに上記施錠アームは長手方向空間部の軸支部側に上記膨出部の嵌入口を有しており、かつ該嵌入口に連通して長手方向に沿って基部の挿通口を上記膨出部より幅小にして有しており、該挿通口の先端に本体受部の基部が係合してドアが開口している施錠の状態では、上記ストッパを施錠アームに重なる位置まで回転して本体受部の外側に係合することにより、ドアの閉方向への移動を阻止し、ドアの開口状態を保持することを特徴とするドアガード」である。
【０００７】
その２つは上記構成において「固定部にそれぞれ一端側が水平方回に回転可能に同軸で軸支される施錠アームおよびストッパを有していること」を特徴している。
【０００８】
その３つは上記構成において「ガード本体の固定部は上下に取付部を形成し、該取付部に略Ｕ字型の施錠アームおよびストッパの軸支部を同軸でそれぞれ水平方向に回転可能に軸支しており、さらにストッパはその先端に本体受部の膨出部の外側に係合する当て部を折曲形成していること」を特徴としている。
【０００９】
【考案の実施の形態】
本考案の実施形態を図面を用いて以下に説明する。
図１は本考案ドアガードを構成するガード本体と本体受部の各部材の一実施例を示し、Ａ、Ｂ、Ｃはガード本体の各部材で、Ａは固定部、Ｂは施錠アーム、Ｃはストッパ、Ｄは本体受部のそれぞれの正面図である。これら部材はダイカスト、ステンレス等の金属製が望ましい。
１は固定部で、ドア側にビス等で取り付けられる。１ａ、１ａは上下に突設した取付部で、後述の施錠アームおよびストッパの一端が軸支される。
【００１０】
２は施錠アームであり、該アームは略Ｕ字型に形成して長手方向の空間部を形成している。該空間部の一端側の軸支部側の空間部を大きめに広げて、後述の本体受部のの膨出部の嵌入口２ａとしている。しかして上記嵌入口に連通して長手方向に沿って挿通口２ｂを膨出部より幅小に形成している。２ｃは軸支部である。
【００１１】
３はストッパで、この実施例では施錠アームの形状に似た略Ｕ字型に形成している。３ａは一対の軸支部、３ｂは一対の係止部で上下に折曲げ形成している。この係止部は施錠アームに重ねたときに係止され、ストッパとなる。かつ補強にもなっている。３ｃは当て部で折曲形成している。該当て部は本体受部の膨出部の外側に係合する。この当て部は回転する際の指の引掛けつまみにもなる。４は本体受部で、基部４ａの一端に取付部４ｂ、他端に膨出部４ｃを形成している。
【００１２】
図２は図１の各部材を組立てたドアガードを、そのガード本体をドアに取付け、本体受部を枠にとりつけ、ドアを閉めている解錠時の略正面図を示す。
図示より明らかなとおり、ドア６側にビス止め固定されている固定部１の上下の取付部１ａ、１ａに施錠アーム２、ストッパ３の軸支部２ｃ、３ａが軸ピン５でそれぞれ個々に水平方向に回転可能に軸支されている。しかして両部材をドア側に倒している。この実施例は施錠アームおよびストッパを１本の軸ピン５で同軸的に軸支しているが、それぞれ別の軸ピンで軸支することもできる。枠７には本体受部４を取付部４ｂを介してビス止で固定している。
【００１３】
図３は図２の状態から施錠アームが回転して本体受部に施錠している状態を示す略平面図である。施錠アーム２が軸ピン５を介してドアの枠側に水平方向に回転して嵌入口２ａが膨出部４ｃを越えて基部の位置に静止している。
【００１４】
図４は図３の状態から施錠アーム２の挿通口の先端に本体受部４の基部が係合するまでドア６を開け、さらにストッパ３を施錠アーム２に重なる位置まで回転して、本体受部の膨出部４ｃの外側に係合せしめて、ドアの閉方向への移動を阻止し、ドアの開口状態を保持している状態を示す略平面図である。
図示から明らかなとおり、施錠アーム２は本体受部に係止されて施錠されており、かつストッパ３が本体受部に係合しているので、ドア６に閉じる方向への外力が働いても施錠アームの閉方向への移動が阻止され、ドアは開口状態を保持している。それゆえに所定間隙の開口空間がドアと枠の間に生じることとなり通気、換気作用を発揮する。
【００１５】
図５、図６はストッパの別の実施例をそれぞれ示す。図５のストッパ８はストッパ３と同様に施錠アームに重ねたときに該アームの内側に重なる形状としている。ストッパ８は板材を折曲加工して形成している。８ａは軸支部、８ｂは補強のフランジ、８ｃは係合部で施錠アームに係合する。８ｄは当て部である。図６のストッパ９はストッパ８より大きめとし、施錠アームの上側に重なる形状としている。９ａは軸支部、９ｂは両側のフランジ、９ｃは当て部である。以上本考案の実施形態について説明したが、本考案の技術思想を逸脱しない範囲の設計変更は可能である。
【００１６】
【効果】
本考案のドアガードは、上記説明のとおりドアを施錠状態で開口するには、ドアをいったん閉めて施錠アームを本体受部に係合して施錠し、次いでドアを開けて施錠アームの挿通口先端が基部に係合せしめ、次いでストッパを施錠アームに重なる位置まで回転して本体受部の外側に係合せしめればよい。ドアに風圧等外力が閉まる側に作用しても、ストッパが本体受部に受け止められているので、施錠アームが本体受部側に戻る事ができずドアが閉まることがなく、開口が保持され、施錠の状態で長時間の通気、換気ができる。よって実用価値大である。
【図面の簡単な説明】
【図１】本考案ドアガードの各部材の一実施例を示し、Ａは固定部、Ｂは施錠アーム、Ｃはストッパ、Ｄは本体受部それぞれの正面図である。
【図２】図１の各部材を組立て、ガード本体をドアに取り付け、本体受部を枠にとりつけてドアを閉めている解錠状態の略正面である。
【図３】図２の状態から施錠アームが回転して、本体受部に施錠している状態を示す略平面図である。
【図４】図３の状態から施錠アームの挿通口の先端に本体受部の基部が係合する位置までドアを開け、さらにストッパを施錠アームに重なる位置まで回転して、本体受部の外側に係合せしめてドアの閉じる方向への移動を阻止し、開口状態を示す略平面図である。
【図５】本考案のストッパの別の実施例を示す斜視図である。
【図６】ストッパのさらに別の実施例を示す斜視図である。
【図７】従来のドアガードの使用状態を示す略側面図である。
【符号の説明】
１　　固定部
１ａ　取付部
２　　施錠アーム
２ａ　嵌入口
２ｂ　挿通口
２ｃ　軸支部
３　　ストッパ
３ａ　軸支部
３ｂ　係止部
３ｃ　当て部
４　　本体受部
４ａ　基部
４ｂ　取付部
４ｃ　膨出部
５　　軸ピン
６　　ドア
７　　枠
８　　ストッパ
８ａ　軸支部
８ｂ　フランジ
８ｃ　係合部
８ｄ　当て部
９　　ストッパ
９ａ　軸支部
９ｂ　フランジ
９ｃ　当て部
【図１】
0003097840.tif 000003
【図２】
0003097840.tif 000004
【図３】
0003097840.tif 000005
【図４】
0003097840.tif 000006
【図５】
0003097840.tif 000007
【図６】
0003097840.tif 000008
【図７】
0003097840.tif 000009